(57)【要約】【課題】  反射シートが熱により収縮もしくは膨張した場合における、光源装置の輝度の低下や輝度の均一性の低下を抑制することができる光源装置を提供する。【解決手段】  複数の光源１４が設けられた光源基板１１と、複数の開口１３６が形成された反射シート１３であって、複数の光源１４からの光を反射するように、複数の光源１４を複数の開口１３６からそれぞれ露出させて光源基板１１に重ねられ、少なくとも一部が光源基板１１に固定された反射シート１３と、反射シート１３と光源基板１１とを収容する筐体１２とを備え、反射シート１３は、基板１１上に重ねられる底面部分１３１と称する第１の部分と、第１の部分に対して折り曲げられ、少なくとも一部がバックライト筐体１２の側壁に固定された側面部分１３２と称する第２の部分と、第１の部分と第２の部分との境界に沿って、第１の部分もしくは第２の部分に設けられた伸縮可能な第３の部分とを有する。【選択図】  図１
2016162507.tif 000002
【特許請求の範囲】
【請求項１】
複数の光源が設けられた基板と、
複数の開口が形成された反射シートであって、前記複数の光源からの光を反射するように、前記複数の光源を前記複数の開口からそれぞれ露出させて前記基板に重ねられ、少なくとも一部が前記基板に固定された反射シートと、
前記反射シートと前記基板とを収容する筐体とを備え、
前記反射シートは、前記基板上に重ねられる第１の部分と、前記第１の部分に対して折り曲げられ、少なくとも一部が前記筐体の側壁に固定された第２の部分と、前記第１の部分と前記第２の部分との境界に沿って、前記第１の部分もしくは前記第２の部分に設けられた伸縮可能な第３の部分とを有することを特徴とする光源装置。
【請求項２】
前記第３の部分は、前記第１の部分の前記第２の部分に最も近接する開口と、前記第２の部分を前記筐体の側壁に固定する固定部との間に配置されることを特徴とする請求項１に記載の光源装置。
【請求項３】
前記第３の部分は、前記反射シートが変形が可能であるように折り曲げられた部分であることを特徴とする請求項１または請求項２に記載の光源装置。
【請求項４】
前記第３の部分が、前記第１の部分に設けられていることを特徴とする請求項３に記載の光源装置。
【請求項５】
前記第３の部分が、前記基板とは反対側に突き出ていることを特徴とする請求項４に記載の光源装置。
【請求項６】
前記第３の部分が、前記第２の部分に設けられていることを特徴とする請求項３に記載の光源装置。
【請求項７】
前記第３の部分が、前記筐体の側壁側に突き出ていることを特徴とする請求項６に記載の光源装置。
【請求項８】
前記第３の部分が、前記境界に接するように設けられていることを特徴とする請求項１乃至請求項７のいずれか１項に記載の光源装置。
【請求項９】
前記第３の部分が、前記反射シートがくの字形状に折り曲げられた部分であることを特徴とする請求項１乃至請求項８のいずれか１項に記載の光源装置。
【請求項１０】
前記第３の部分が、前記反射シートが円弧形状に曲げられた部分であることを特徴とする請求項１乃至請求項８のいずれか１項に記載の光源装置。
【請求項１１】
前記第１の部分が前記基板に固定される固定部と、前記境界との間に、前記複数の開口の一部が配置されていることを特徴とする請求項１乃至請求項１０のいずれか１項に記載の光源装置。
【請求項１２】
請求項１乃至請求項１１のいずれか１項に記載の光源装置と、表示パネルを備えることを特徴とする表示装置。
【発明の詳細な説明】
【技術分野】
【０００１】
本発明は、光源を備える基板上に配置される反射シートを備える光源装置、及び光源装置を備える表示装置に関する。
【背景技術】
【０００２】
液晶パネル等の表示パネルを用いた表示装置では、表示パネルの背面側に配置された光源装置から表示パネルへ光が照射される。光源装置は、複数の光源が配置される光源基板と、反射シートと、バックライト筐体とを備える。バックライト筐体は、光源基板と、反射シートとを収容する。
【０００３】
開口が設けられた反射シートは、光源基板上の複数の光源が露出するように、光源基板上に重ねて配置される。反射シートにより、光源からの光の反射効率の向上や、輝度の均一性の向上が実現される。反射シートは、その一部（底面部分と称する）が光源基板上に重ねて配置され、他の一部（側面部分と称する）がバックライト筐体の側壁に設けられる。反射シートは、底面部分が光源基板に固定され、側面部分がバックライト筐体の側面に固定され、反射シートの底面部分と側面部分との間に境界を有する。
【０００４】
表示装置の駆動時において、光源から発生した熱は、一部が光源基板やバックライト筐体を通じて外気へ放出されるが、一部の熱は、反射シートに伝わり、反射シートを加熱する。特許文献１には、反射シートの底面部分の中央を、光源基板に固定し、各光源を露出するそれぞれの開口の大きさを反射シートの中央から外側に向かって大きくする液晶表示装置が開示されている。これにより、反射シートが熱により収縮もしくは膨張した際に、開口の位置がずれ、反射シートが、光源を覆ってしまうことを抑制している。
【先行技術文献】
【特許文献】
【０００５】
【特許文献１】特開２０１１−２４８１２０号公報
【発明の概要】
【発明が解決しようとする課題】
【０００６】
しかしながら、特許文献１に開示された技術では、反射シートの側面部分と底面部分とが、バックライト筐体に固定されている場合、反射シートの収縮または膨張により、反射シートの境界近傍に、側面部分と底面部分とから押される力もしくは引かれる力が働く。これにより、反射シートの境界近傍の形状が変形し、反射シートの境界近傍の底面部分及び境界近傍の開口が、光源基板に対して垂直な方向に移動して光源基板から浮き上がる。
【０００７】
反射シートの境界近傍の開口の浮き上がりが生じると、光源から発せられた光が反射シートの開口から漏れだす。これにより、反射シートにより反射される光の量が減少し、境界近傍の光学シートに入射する光の量が減少する。したがって、光源装置の発光量は、反射シートの境界近傍において局所的に減少し、発光輝度の均一性が低下する。
【０００８】
そこで本発明は、上記課題に鑑みて、反射シートが収縮もしくは膨張した場合における、光源装置の発光量の低下を抑制することができる光源装置を提供することを目的とする。
【課題を解決するための手段】
【０００９】
上述した課題を解決するために、本発明の光源装置は、複数の光源が設けられた基板と、複数の開口が形成された反射シートであって、複数の光源からの光を反射するように、複数の光源を複数の開口からそれぞれ露出させて基板に重ねられ、少なくとも一部が基板に固定された反射シートと、反射シートと基板とを収容する筐体とを備え、反射シートは、基板上に重ねられる第１の部分と、第１の部分に対して折り曲げられ、少なくとも一部が筐体の側壁に固定された第２の部分と、第１の部分と第２の部分との境界に沿って、第１の部分もしくは第２の部分に設けられた伸縮可能な第３の部分とを有する。
【発明の効果】
【００１０】
本発明によれば、反射シートが収縮もしくは膨張した場合に、伸縮可能な第３の部分が伸縮するので、光源装置の発光量の低下を抑制できる。
【図面の簡単な説明】
【００１１】
【図１】本発明の第一の実施形態における表示装置の断面図である。
【図２】本発明の第一の実施形態における反射シートの斜視図および拡大図である。
【図３】本発明の第一の実施形態における境界領域近傍の反射シートの熱変形の様子を示す断面図である。
【図４】本発明の第二の実施形態における表示装置の断面図である。
【図５】本発明の第二の実施形態における境界領域近傍の反射シートの熱変形の様子を示す断面図である。
【図６】本発明の第二の実施形態において、反射シートの突出部の底面側の端部が境界上に位置する形態を示す表示装置の断面図である。
【図７】本発明の第二の実施形態において、反射シートの突出部の底面側の端部が境界上に位置する形態の、境界部近傍の反射シートの熱変形の様子を示す断面図である。
【図８】本発明の比較に用いる表示装置の境界部近傍の反射シートの熱変形の様子を示す断面図である。
【発明を実施するための形態】
【００１２】
以下、図面を用いて本発明の実施の形態について説明する。なお、本発明の技術的範囲は、特許請求の範囲によって確定され、以下に例示する実施形態によって限定されるものではない。また、実施形態の中で説明されている特徴の組み合わせすべてが本発明に必須とは限らない。本明細書および図面に記載の内容は例示であって、本発明を制限するものと見なすべきではない。本発明の趣旨に基づき種々の変形（各実施形態の有機的な組合せを含む）が可能であり、それらを本発明の範囲から除外するものではない。即ち、各実施形態及びその変形例を組み合わせた構成も全て本発明に含まれるものである。
【００１３】
（第一の実施形態）
図１は、本発明の第一の実施形態における表示装置１の断面図である。
【００１４】
なお、以下では表示パネルとして液晶パネルを例示し、光源装置の光源としてＬＥＤ（Ｌｉｇｈｔ  Ｅｍｉｔｔｉｎｇ  Ｄｉｏｄｅ）素子を例示するが、光源はこれに限らない。例えば、光源は、有機ＥＬ（Ｅｌｅｃｔｒｏ−Ｌｕｍｉｎｅｓｃｅｎｃｅ）素子であってもよい。表示パネルは、液晶素子以外の素子（光の透過率を制御可能な素子）を有する表示パネルであってもよい。また、スクリーンに画像を投影する液晶プロジェクター等にも適用可能である。
【００１５】
また、本実施形態では、光源装置を表示装置に用いる例を説明するが、光源装置を照明装置に用いるなど、面光源部を有する各種装置に幅広く適用可能である。
【００１６】
表示装置１は、光源装置１０と、液晶パネル２と、パネルケース３と、パネルホルダ４と、光学シート５とを備える。光源装置１０と液晶パネル２との間には、拡散板やプリズムシートからなる光学シート５を配置する。液晶パネル２は、液晶パネル２の周縁部を正面側から覆うパネルケース３と、液晶パネル２の周縁部を背面側から支えるパネルホルダ４との間に挟まれて保持される。また、光学シート５は、光学シート５の周縁部を正面側から覆うパネルホルダ４と、光源装置１０との間に挟まれて保持される。また、表示装置１は、液晶パネル２を駆動させるための駆動装置（非図示）を備える。
【００１７】
光源装置１０は、光源基板１１と、バックライト筐体１２と、反射シート１３とを有する。光源基板１１には、ＬＥＤ素子１４などの複数の光源がマトリックス状に配置される。バックライト筐体１２は、熱伝導性のよいアルミニウム合金等の材料によって箱状に形成される。バックライト筐体１２は、光源基板１１と、反射シート１３とを収容する。
【００１８】
図２は、第一の実施形態における反射シート１３の全体の斜視図である。反射シート１３は、高反射率の表面を有する樹脂シート材料等で形成される。反射シート１３は、光源基板１１の複数のＬＥＤ素子１４が配置された面に重なるように配置され、複数のＬＥＤ素子１４のそれぞれが露出するように複数の開口１３６がマトリックス状に設けられる。
【００１９】
反射シート１３は、光源基板１１上に重ねて配置される底面部分１３１（第１の部分）と、バックライト筐体１２の側壁に固定される側面部分１３２（第２の部分）とを有する。反射シート１３の底面部分１３１には、反射シート１３の底面部分１３１を光源基板１１に固定するための固定穴１３３が、複数の開口１３６の間に設けられる。反射シート１３の底面部分１３１は、ねじ等の固定具１３４を、固定穴１３３を通して光源基板１１に固定する固定部によって、固定される。また、反射シート１３の側面部分１３２は、反射シート１３をバックライト筐体１２の側壁に固定するために、固定穴１３３が複数個設けられる。反射シート１３の側面部分１３２は、固定具１３４を固定穴１３３を通してバックライト筐体１２に固定する固定部によって、固定される。
【００２０】
なお、本実施形態において、側面部分１３２の固定穴１３３は、バックライト筐体１２の側壁の光源基板１１と光学シート５との中間に位置しているが、側面部分１３２の端部に配置してもよい。
【００２１】
反射シート１３は、底面部分１３１と側面部分１３２との間に境界領域を有する。図１に示すように、境界領域は、底面部分１３１と側面部分１３２との間の境界と、底面部分１３１における境界近傍の一部領域と、側面部分１３２における境界近傍の一部領域とを含む。
【００２２】
光源装置１０の内壁を反射シート１３で広く覆うことにより、光源装置１０や光学シート５からの反射光を、効率よく光学シート５に照射することが可能となる。
【００２３】
反射シート１３の底面部分１３１において、側面部分１３２と、側面部分１３２に最も近接する開口１３６との間に、伸縮可能な可動部分１３５が形成される。言い換えると、図２に示すように、反射シート１３の底面部分１３１と側面部分１３２との境界に沿って可動部分１３５が形成されるとも言える。底面部分１３１または側面部分１３２から力を加えられると、伸縮可能な可動部分１３５は、変形して伸縮する。
【００２４】
なお、本実施例において、可動部分１３５の断面形状が、くの字形状である例を示したが、四角形以上の多角形や、円弧を含む形状でもよい。図１で示したように、反射シート１３の可動部分１３５が、光源基板１１に対して反対側（光学シート５側）に突出する形状は、折り曲げでなく型押しによる加工がし易く好ましい。
【００２５】
図３（ａ）〜図３（ｃ）は、第一の実施形態における表示装置１を駆動したときの反射シート１３の熱変形の様子を示した図である。
【００２６】
図３（ａ）は、駆動前の反射シート１３の境界領域近傍の断面の拡大図である。表示装置１を駆動し、光源装置１０が駆動されると、ＬＥＤ素子１４から熱が発生する。ＬＥＤ素子１４から発生した熱の一部は、光源基板１１を介してバックライト筐体１２に伝わり、外気に放出される。また、熱の一部は、反射シート１３に伝わり、加熱された反射シート１３は熱収縮、もしくは熱膨張の熱変形をおこす。
【００２７】
図３（ｂ）に示すように、反射シート１３が熱収縮を起こす場合、可動部分１３５に、底面部分１３１と側面部分１３２との両側から引かれる力が働き、可動部分１３５が底面部分１３１に沿って伸びる。
【００２８】
また、図３（ｃ）に示すように、反射シート１３が熱膨張を起こす場合、可動部分１３５に、底面部分１３１と側面部分１３２との両側から押される力が働き、可動部分１３５が底面部分１３１に沿って縮む。上記のように、反射シート１３の熱変形により、反射シート１３の境界領域へかかる力の一部が、可動部分１３５の変形に変換され、境界領域の移動が抑制される。
【００２９】
図８（ａ）〜（ｃ）は、第一の実施形態との比較例を示す図であって、表示装置１を駆動したときの反射シート１１３の熱変形の様子を示した図である。反射シート１１３は、図３（ａ）〜図３（ｃ）に示したような可動部分１３５を有していない。
【００３０】
図８（ａ）は、駆動前の反射シート１１３の境界領域近傍の断面の拡大図である。表示装置１の駆動に伴う発熱により、反射シート１１３に熱変形が起こる。
【００３１】
図８（ｂ）に示すように、反射シート１１３が熱収縮を起こす場合、境界領域に底面部分１１３１と側面部分１１３２との両側から引かれる力が働き、反射シート１３の境界領域は、図８（ａ）に示した当初の位置から浮き上がる。具体的には、反射シート１１３の境界領域が光源基板１１から浮き上がることにより、反射シート１１３の境界領域に最も近接する開口１３６が、光源基板１１から浮き上がる。このため、反射シート１１３と光源基板１１との間に光が漏れだす可能性がある。
【００３２】
また、図８（ｃ）に示すように、反射シート１１３が熱膨張を起こす場合、境界領域に底面部分１１３１と側面部分１１３２との両側から押される力が働き、境界領域が変形する。これにより、反射シート１１３の境界領域に最も近接する開口１３６が、光源基板１１から浮き上がる。この場合も、反射シート１１３と光源基板１１との間に光が漏れだす可能性がある。
【００３３】
以上のように、本発明の第一の実施形態では、反射シート１３の熱変形により境界領域に働く力の一部が、可動部分１３５の変形に変換されることにより、境界領域の移動が抑制される。これにより、反射シート１３の境界近傍の底面部分１３１及び境界近傍の開口１３６が、光源基板１１から浮き上がることを抑制することができる。光源基板１１と反射シート１３との間が拡がらないことにより、光源から発せられた光が反射シート１３の開口１３６から、光源基板１１と反射シート１３との間の隙間へ漏れだすことを抑制することができる。したがって、光源装置１０の発光量の低下や、発光輝度の均一性の低下を抑制することができる。
【００３４】
なお、第一の実施形態において、反射シート１３の可動部分１３５は、側面部分１３２と、側面部分１３２に最も近接する開口１３６との間の底面部分１３１上に配置されるが、側面部分１３２を含んだ境界領域に配置されるようにしてもよい。具体的には、反射シート１３の側面部分１３２をバックライト筐体１２に固定するための固定具１３４（または固定穴１３３）と、底面部分１３１との間の、側面部分１３２上に可動部分１３５を形成してもよい。つまり、反射シート１３の底面部分１３１と側面部分１３２との境界領域に沿って可動部分１３５を形成すればよい。言い換えると、反射シート１３の側面部分１３２をバックライト筐体１２に固定するための固定具１３４（または固定穴１３３）と、底面部分１３１の複数の開口１３６のうち境界に最も近接する開口１３６との間に、可動部分１３５を形成すればよい。この場合も同様の効果を発揮する。
【００３５】
（第二の実施形態）
図４は、本発明の第二の実施形態における光源装置１０の断面図である。図４において、第一の実施形態と同一の構成要素については、同一の符号を付し、その詳細な説明は繰り返さない。
【００３６】
第二の実施形態では、反射シート１３の境界領域の側面部分１３２側に、可動部分１３５が設けられる。また、可動部分１３５は、バックライト筐体１２の側壁側に突き出ており、円弧形状を有している。可動部分１３５は、反射シート１３の弾性により、平板状に形状を変化させようとする復元力をもつ。可動部分１３５の復元力は、反射シート１３の境界領域を光源基板１１側に押しつける。光源基板１１に反射シート１３の境界領域が、光源基板１１に押しつけられることにより、反射シート１３が熱変形したときに、反射シート１３の境界領域の移動がより抑制される。
【００３７】
図５（ａ）〜図５（ｃ）は、第二の実施形態における表示装置１駆動時の反射シート１３の熱変形の様子を示した図である。
【００３８】
図５（ａ）は、駆動前の反射シート１３の境界領域近傍の断面の拡大図である。表示装置１を駆動し、光源装置１０が駆動されると、ＬＥＤ素子１４から熱が発生する。ＬＥＤ素子１４で発生した熱の一部が反射シート１３に伝わり、反射シート１３は、加熱される。
【００３９】
図５（ｂ）に示すように、反射シート１３が熱収縮を起こす場合、可動部分１３５に、底面部分１３１と側面部分１３２との両側から引かれる力が働く。可動部分１３５は、底面部分１３１と側面部分１３２の両側に伸長し、変形する。可動部分１３５が、熱収縮による力によって変形することにより、反射シートの境界近傍の底面部及び境界近傍の開口１３６が、光源基板１１に対して垂直な方向に移動することを抑制する。
【００４０】
また、図５（ｃ）に示すように、反射シート１３が熱膨張を起こす場合、可動部分１３５に底面部分１３１と側面部分１３２との両側から押される力が働く。可動部分１３５に底面部分１３１から押される力が働くことにより、反射シート１３の境界領域は、バックライト筐体１２の側壁側に押し出される。また、側面部分１３２から押される力により、可動部分１３５は、押しつぶされる。反射シートの熱膨張により可動部分１３５が変形することで、反射シート１３の境界領域に、側面部分１３２からかかる力を低減する。したがって、反射シート１３の境界近傍の底面部分及び境界近傍の開口１３６が光源基板１１に対して垂直な方向に移動することを抑制する。
【００４１】
上記のように、熱変形により反射シート１３の境界領域へかかる力の一部が、可動部分１３５の変形に変換されることで、境界領域の移動が抑制される。
【００４２】
以上のように、第二の実施形態では、熱変形により境界領域に働く力の一部を可動部分１３５の変形に変化するほか、可動部分１３５の復元力によって、境界領域の移動を抑制することができる。
【００４３】
これにより、反射シート１３の境界近傍の底面部分及び境界近傍の開口１３６が、光源基板１１から浮き上がることを抑制することができる。光源基板１１と反射シート１３との間が拡がらないことにより、光源から発せられた光が反射シート１３の開口１３６から、光源基板１１と反射シート１３との間の隙間へ漏れだすことを抑制することができる。したがって、光源装置１０の発光量の低下や、発光輝度の均一性の低下を抑制することができる。
【００４４】
なお、第二の実施形態において、可動部分１３５の端部は、両端が反射シート１３の側面部分１３２に位置しているが、可動部分１３５の底面部分１３１側の端部は、底面部分１３１と側面部分１３２の境界に接していてもよい。
【００４５】
図６は、可動部分１３５の底面部分１３１側の端部が、底面部分１３１と側面部分１３２の境界に接している場合の光源装置１０の断面図である。
【００４６】
図７（ａ）〜図７（ｃ）は、図６に示した反射シート１３の可動部分１３５の形状を有する光源装置１０における、表示装置１駆動時の反射シート１３の熱変形の様子を示した図である。
【００４７】
図７（ａ）は、駆動前の反射シート１３の境界領域近傍の断面の拡大図である。表示装置１を駆動し、光源装置１０が駆動されると、ＬＥＤ素子１４から熱が発生する。ＬＥＤ素子１４で発生した熱の一部が反射シート１３に伝わり、反射シート１３は、加熱される。
【００４８】
図７（ｂ）に示すように、反射シート１３が熱収縮を起こす場合、可動部分１３５に、底面部分１３１と側面部分１３２との両側から引かれる力が働く。側面部分１３２から引かれる力によって、可動部分１３５は、伸長し、変形する。また、底面部分１３１側から引かれる力によって、可動部分１３５の境界上の端部は、光源基板１１に沿って光源基板１１の中央に向かって移動する。このとき、可動部分１３５の境界上の端部は、可動部分１３５のバックライト筐体１２の側壁側に突き出た反射シート１３の一部とともに移動する。
【００４９】
また、図７（ｃ）に示すように、反射シート１３が熱膨張を起こす場合、可動部分１３５に底面部分１３１と側面部分１３２との両側から押される力が働く。側面部分１３２から押される力によって、可動部分１３５は、押しつぶされる。また、底面部分１３１側から押される力によって、可動部分１３５の境界上の端部は、光源基板１１に沿って光源基板１１の外周側に向かって移動する。このとき、可動部分１３５は、バックライト筐体１２の側壁側に押し出される。
【００５０】
上記のように、可動部分１３５の底面部分１３１側の端部が、境界に接することによって、可動部分１３５の境界上の端部が、光源基板１１に沿って移動しやすくなる。
【００５１】
反射シートの熱膨張により可動部分１３５が変形することで、反射シート１３の境界領域に、側面部分１３２からかかる力を低減する。したがって、反射シート１３の境界近傍の底面部分及び境界近傍の開口１３６が光源基板１１に対して垂直な方向に移動することを抑制する。
【００５２】
なお、第二の実施形態において、可動部分１３５は、バックライト筐体１２の側壁側に突き出ているが、光源基板１１側（光源装置１０の内側）に突き出た形状にしてもよい。
【００５３】
なお、実施例において、境界に沿って配置される伸縮可能な部分は、折り曲げ形状からなる可動部分として説明したが、反射シート３０の収縮もしくは膨張に伴って伸縮可能であればよい。例えば、反射シート３０の境界に沿った一部領域の厚みを薄くし、溝形状を有してもよい。また、反射シート３０の形成時に、境界領域にゴム等の伸縮性の高い素材で形成した伸縮可能な部分を形成することもできる。
【符号の説明】
【００５４】
１０  光源装置
１１  光源基板
１２  バックライト筐体
１３  反射シート
１３１  底面部分
１３２  側面部分
１３５  可動部分
１３６  開口
【図１】
2016162507.tif 000003
【図２】
2016162507.tif 000004
【図３】
2016162507.tif 000005
【図４】
2016162507.tif 000006
【図５】
2016162507.tif 000007
【図６】
2016162507.tif 000008
【図７】
2016162507.tif 000009
【図８】
2016162507.tif 000010